(57)【要約】【課題】建築工事現場、道路工事現場などの使用現場で、基台内部にコンクリートを充填する場合に、その充填作業が非常に簡単にできるものとすると共に、基台内部に充填したコンクリートが完全固化しないでも使用することができ、さらに基台をその使用現場まで運搬する場合に、嵩を低くして運搬できるようにし運搬効率を非常に良くすることができるフェンス支持台を提供する。【解決手段】上面１ａから内部にかけてフェンス支柱の支持穴２を設けると共に、底面１ｂを大きく開口した合成樹脂製の容器からなる基台１と、この基台１の開口した底面１ｂを閉鎖可能とした底蓋３を有したものとし、前記基台１の底面１ｂの開口から基台１の内部にコンクリートＣを充填し、その底面１ｂの開口を底蓋３で閉鎖して基台１の内部に充填したコンクリートＣを固化させるものとしている。【選択図】図３
2009114747.tif 000002
【特許請求の範囲】
【請求項１】
上面（１ａ）から内部にかけてフェンス支柱の支持穴（２）を設けると共に、底面（１ｂ）を大きく開口した合成樹脂製の容器からなる基台（１）と、この基台（１）の開口した底面（１ｂ）を閉鎖可能とした底蓋（３）を有したものとし、前記基台（１）の底面（１ｂ）の開口から基台（１）の内部にコンクリート（Ｃ）を充填し、その底面（１ｂ）の開口を底蓋（３）で閉鎖して基台（１）の内部に充填したコンクリート（Ｃ）を固化させることを特徴とするフェンス支持台。
【請求項２】
前記底面（１ｂ）の全体を開口したことを特徴とする請求項１記載のフェンス支持台。
【請求項３】
前記底面（１ｂ）の半分以上を開口したことを特徴とする請求項１記載のフェンス支持台。
【請求項４】
前記基台（１）の上面（１ａ）寄りを底面（１ｂ）寄りより窄めた形状とし、基台（１）どうしを重ね合わせたときに一方の基台（１）の上面（１ａ）寄りが他方の基台（１）の底面（１ｂ）寄りに入り込むようにしたことを特徴とする請求項２記載のフェンス支持台。
【請求項５】
前記基台（１）に設けた支持穴（２）の下方に基台（１）外部に通じる連通孔（２ａ）を設け、さらにこの連通孔（２ａ）の下方に、底蓋（３）の中央部に設けた通孔（３ｃ）と嵌脱自在として嵌り込む突部（２ｂ）を設けたことを特徴とする請求項１記載のフェンス支持台。
【請求項６】
前記底蓋（３）を基台（１）の底面（１ｂ）に連結したことを特徴とする請求項１〜５の何れかに記載のフェンス支持台。
【発明の詳細な説明】
【技術分野】
【０００１】
この発明は、建築工事現場や道路工事現場、屋外、屋内のスポーツ競技場などで使用されるガードフェンスなどを支持するためのフェンス支持台に関するものである。
【背景技術】
【０００２】
従来、この種のフェンス支持台としては、コンクリートを型に流し込み、固化させてからその型を外してコンクリートブロックとしたものが存在する。
【０００３】
このようなフェンス支持台は、コンクリートが露出しているため、屋外で使用する場合にはそれほど問題がないにしても、屋内で使用する場合には、美観を損ねたり、設置する床などに傷をつけるという問題点を有していた。
【０００４】
そこで、フェンス支持台を屋内で使用する場合に、美観を損ねたり、設置する床などに傷をつけないようにするため、例えば図７〜９に示したように、露出しているコンクリートを合成樹脂で覆い隠したものが考え出されている。
【０００５】
このフェンス支持台は、合成樹脂製の容器の上面中央部にその上面から内部にかけてフェンスの支柱の支持穴１１を二個連設し、前記容器の底面には二個の小穴１２を設けた基台１３としたものとしている。
【０００６】
そして、このフェンス支持台は、基台１３を建築工事現場、道路工事現場などの使用現場まで運搬し、その現場で基台１３の底面の一方の小穴１２からコンクリートＣを流し込み、他方の小穴１２から基台１３内部の空気を排出するようにして、この基台１３内部にコンクリートＣを充填し、この充填したコンクリートＣを固化させてから、建築工事現場、道路工事現場などで使用するものとしている（非特許文献１）。
【非特許文献１】表題を「仮囲いの理念  かんきょうのプレゼント」とする日本機電株式会社の２００４年版カタログの第９頁
【発明の開示】
【発明が解決しようとする課題】
【０００７】
しかしながら、上記従来のフェンス支持台は、建築工事現場、道路工事現場などの使用現場で、基台１３内部にコンクリートＣを充填する場合に、基台１３の底面の一方の小穴１２からコンクリートＣを流し込むようにしているが、この小穴１２にはコンクリートＣが流し込み難く、またコンクリートＣを勢いよく流し込むとその小穴１２からこぼれ出たりするし、さらにコンクリートＣをどれぐらい流し込んだかを小穴１２からは確認し難く、コンクリートＣを流し込み過ぎて他方の小穴１２から溢れ出たりするので、その充填作業が非常に困難であるという課題を有していた。
【０００８】
さらに、上記従来のフェンス支持台は、基台１３の底面に設けられた小穴１２は二個とも開放されたままであるので、基台１３内部に充填したコンクリートＣが完全に固化しないと使用中にその小穴１２からこぼれ出るため、そのコンクリートＣが完全に固化するまでの時間をおいてからでないと使用できないという課題を有していた。
【０００９】
また、上記従来のフェンス支持台は、前記基台１３を建築工事現場、道路工事現場などの使用現場まで運搬する場合に、運搬車に積み上げるだけで、嵩が低くなるようにして積重ねておくことができないので嵩張ってしまい、運搬効率が非常に悪いという課題を有していた。
【００１０】
そこで、この発明は、上記従来の課題を解決するものであり、建築工事現場、道路工事現場などの使用現場で、基台内部にコンクリートを充填する場合に、その充填作業が非常に簡単にできるものとすると共に、基台内部に充填したコンクリートが完全に固化しないでも使用することができ、しかも安定した状態で立てておくことができ、さらに基台をその使用現場まで運搬する場合に、嵩を低くして運搬できるようにし運搬効率を非常に良くすることができるフェンス支持台を提供することを目的としてなされたものである。
【課題を解決するための手段】
【００１１】
この発明のフェンス支持台は、上面１ａから内部にかけてフェンス支柱の支持穴２を設けると共に、底面１ｂを大きく開口した合成樹脂製の容器からなる基台１と、この基台１の開口した底面１ｂを閉鎖可能とした底蓋３を有したものとし、前記基台１の底面１ｂの開口から基台１の内部にコンクリートＣを充填し、その底面１ｂの開口を底蓋３で閉鎖して基台１の内部に充填したコンクリートＣを固化させるものとしている。
【００１２】
そして、この発明のフェンス支持台は、底面１ｂの全体を開口したものとしたり、底面１ｂの半分以上を開口したものとすることができる。
【００１３】
さらに、この発明のフェンス支持台は、基台１の上面１ａ寄りを底面１ｂ寄りより窄めた形状とし、基台１どうしを重ね合わせたときに一方の基台１の上面１ａ寄りが他方の基台１の底面１ｂ寄りに入り込むようにしている。
【００１４】
また、この発明のフェンス支持台は、基台１に設けた支持穴２の下方に基台１外部に通じる連通孔２ａを設け、さらにこの連通孔２ａの下方に、底蓋３の中央部に設けた通孔３ｃと嵌脱自在として嵌り込む突部２ｂを設けたものとしている。
【００１５】
さらに、この発明のフェンス支持台は、底蓋３を基台１の底面１ｂに連結したものとしている。
【発明の効果】
【００１６】
この発明のフェンス支持台は、以上に述べたように構成されているので、建築工事現場、道路工事現場などの使用現場で、基台内部にコンクリートを充填する場合に、その充填作業が非常に簡単にできるものとなると共に、基台内部に充填したコンクリートが完全に固化しないでも使用することができるものとなり、しかも安定した状態で立てておくことができ、さらに基台をその使用現場まで運搬する場合にも、嵩を低くして運搬することができ、運搬効率を非常に良くすることができるものとなった。
【発明を実施するための最良の形態】
【００１７】
以下、この発明のフェンス支持台を実施するための最良の形態を、図面に基づいて詳細に説明する。
【００１８】
この発明のフェンス支持台は、図１〜６に示したように、上面１ａから内部にかけてフェンス支柱の支持穴２を設けると共に、底面１ｂを大きく開口した合成樹脂製の容器からなる基台１と、この基台１の開口した底面１ｂを閉鎖可能とした底蓋３を有したものとしている。
【００１９】
そして、この発明のフェンス支持台は、前記基台１の底面１ｂの開口から基台１の内部にコンクリートＣを充填し、その底面１ｂの開口を底蓋３で閉鎖して基台１の内部に充填したコンクリートＣを固化させるものとしている。
【００２０】
前記基台１は、図示したように、底面１ｂを大きく開口したものとするために、底面１ｂの全体を開口したものとしているが、底面１ｂの半分以上を開口したものとすればよい。このようにすることにより、底面１ｂの開口から基台１の内部にコンクリートＣを充填する場合に、そのコンクリートＣが流し込み易いものとなる。さらに、前記基台１を、底面１ｂの全体を開口したものとした場合、その基台１の上面１ａ寄りを底面１ｂ寄りより窄めた形状とし、基台１どうしを重ね合わせたときに一方の基台１の上面１ａ寄りが他方の基台１の底面１ｂ寄りに入り込むようにしている。このようにすることにより、多数の基台１を運搬する場合にも、その多数の基台１を積重ねておけば嵩の低いものとなり運搬し易いものとなる。
【００２１】
なお、前記基台１の上面１ａから内部にかけて設けた支持穴２は、二個連設したものとしているが、この二個連設したものは、隣り合うフェンスの支柱をそれぞれ支持するための仕様であり、隣り合うフェンスがないときや、角に位置するフェンスの支柱を支持する場合などには、支持穴２の個数や配置を変更した他の仕様とすることができるのはいうまでもない。また、前記支持穴２は、下方に基台１外部に通じる連通孔２ａが設けられており、さらにこの連通孔２ａの下方には、後に述べる底蓋３と連結するための突部２ｂを設けている。なお、前記支持穴２は、基台１内部の中間部より下方にまで到るものとし、外部に通じる連通孔２ａを設けたものとしているが、この基台１を貫通するものとしてもよい。
【００２２】
前記底蓋３は、図１〜３に示したように、基台１の底面１ｂの開口の外側に嵌め込むようにしても、図４〜６に示したように、基台１の底面１ｂの開口の内側に嵌め込むようにしてもよい。図１〜３に示した底蓋３は、その底蓋３の周囲を内側に折り返した縁部３ａを形成し、この縁部３ａを基台１の底面１ｂの開口端を外側に折り返して形成した縁部１ｃに嵌め込めるようにしている。図４〜６に示した底蓋３は、その底蓋３の周囲の内側に出っ張らせた縁部３ｂを形成し、この縁部３ｂを基台１の底面１ｂの開口端に嵌め込めるようにしている。また、前記底蓋３は、基台１の支持穴２の連通孔２ａに設けた突部２ｂが嵌脱自在として嵌り込み、この突部２ｂと連結するための通孔３ｃを中央部に設けたものとしている。
【００２３】
さらに、前記底蓋３の内面には、凹凸を設けるなどして、この底蓋３の内面が基台１内部に流し込んだコンクリートＣと接触した場合に、そのコンクリートＣとの接触面積が大きくなって底蓋３の内面とコンクリートＣとが強く接着するようにし、基台１から底蓋３を外れ難いものとすることができる。
【００２４】
また、前記底蓋３は、図示していないが、基台１と切り離したものとはせず、底蓋３の周囲の一部を基台１の底面１ｂの縁部に、ヒンジを介するなどして連結したものとすることができる。このようにすると、基台１と底蓋３がバラバラにならず、基台１の内部にコンクリートＣを充填した後に、基台１の底面１ｂを底蓋３で素早く閉鎖することができるものとなる。
【００２５】
以上のように構成したこの発明のフェンス支持台は、建築工事現場、道路工事現場などの使用現場で、基台１の内部にコンクリートＣを充填する場合に、基台１の底面１ｂの開口から基台１の内部にコンクリートＣを流し込むことにより、その充填作業が非常に簡単にできるものとなる。また、そのコンクリートＣを充填した基台１の底面１ｂの開口を底蓋３で閉鎖すれば、コンクリートＣがこぼれ出ることもないので、コンクリートＣが完全に固化しないでも使用することができるものとなる。さらに、前記基台１の底面１ｂの開口を底蓋３で閉鎖したときに、基台１の支持穴２の連通孔２ａに設けた突部２ｂを底蓋３の中央部に設けた通孔３ｃに嵌り込ませれば、基台１と底蓋３とが連結されるので、底蓋３の形状が安定し、この底蓋３の平滑性を確保できるものとなり、フェンス支持台を安定した状態で立てておけるものとなる。
【００２６】
さらに、この発明のフェンス支持台は、基台１の支持穴２に設けた連通孔２ａが水抜き孔となるので、屋外で使用する場合にも基台１の支持穴２に雨水などが溜まるようなこともない。
【００２７】
また、この発明のフェンス支持台は、多数の基台１を使用現場まで運搬する場合にも、その多数の基台１を積重ねておけば嵩を低くして運搬することができ、運搬効率を非常に良くすることができるものとなる。
【図面の簡単な説明】
【００２８】
【図１】この発明のフェンス支持台の一実施形態を示す斜視図である。
【図２】図１に示すこの発明のフェンス支持台の断面図である。
【図３】図１に示すこの発明のフェンス支持台のコンクリート未充填時の分解斜視図である。
【図４】この発明のフェンス支持台の他の実施形態を示す斜視図である。
【図５】図４に示すこの発明のフェンス支持台の断面図である。
【図６】図４に示すこの発明のフェンス支持台のコンクリート未充填時の分解斜視図である。
【図７】従来のフェンス支持台の一例を示す斜視図である。
【図８】従来のフェンス支持台の断面図である。
【図９】従来のフェンス支持台のコンクリート未充填時の底面側から見た斜視図である。
【符号の説明】
【００２９】
１  基台
１ａ  上面
１ｂ  底面
２  支持穴
２ａ  連通孔
２ｂ  突部
３  底蓋
３ｃ  通孔
Ｃ  コンクリート
【図１】
2009114747.tif 000003
【図２】
2009114747.tif 000004
【図３】
2009114747.tif 000005
【図４】
2009114747.tif 000006
【図５】
2009114747.tif 000007
【図６】
2009114747.tif 000008
【図７】
2009114747.tif 000009
【図８】
2009114747.tif 000010
【図９】
2009114747.tif 000011